(57)【要約】【課題】  自転車、バイクに乗りながら手の指圧を行える指圧具を提供する。【解決手段】  指圧具１は、弾性を有するゴム、塩化ビニール樹脂、シリコン樹脂等のプラスチックなどから成る円筒状の被覆部材２を有しており、両端面に差し込み口３が形成されている。被覆部材２の全周に多数の指圧突起４が凸設されている。被覆部材２の長さはハンドルグリップ２１より少しだけ短く、内径はハンドルグリップ２１と同じか少しだけ小さく形成されている。自転車、バイク等のハンドル２０の端部に設けられたハンドルグリップ２１に指圧具１を装着したい場合、指圧具１の差し込み口３を広げながらハンドグリップ２１の端から指圧具１を差し通して行き、ハンドグリップ２１の外周に嵌着する。【選択図】      図２
0003191206.tif 000002
【実用新案登録請求の範囲】
【請求項１】
二輪車のハンドルグリップに対し後付けで、ハンドルグリップの外周を覆うようにして着脱自在に装着可能な被覆部材を備え、
被覆部材の表面に多数の指圧突起を形成したこと、
を特徴とする指圧具。
【請求項２】
被覆部材を伸縮性の有る筒状体とし、
ハンドルグリップの外周に対し着脱自在に嵌着可能としたこと、
を特徴とする請求項１記載の指圧具。
【請求項３】
被覆部材を柔軟性の有る板状とするとともに、
ハンドルグリップの外周に被覆部材を巻き付けたときの重なり部分となる個所に止め部材を付設し、
ハンドルグリップの外周に対し着脱自在に巻着可能としたこと、
を特徴とする請求項１記載の指圧具。
【請求項４】
被覆部材を柔軟性を有し、軸方向にスリットの入った筒状とするとともに、
被覆部材の向かい合う端面間を繋ぐようにして伸縮性のバンドを装着し、
ハンドルグリップの外周に対し着脱自在に嵌着可能としたこと、
を特徴とする請求項１記載の指圧具。
【考案の詳細な説明】
【技術分野】
【０００１】
本考案は指圧具に係り、とくに自転車、バイク等の乗り物に乗りながら手の指圧を行える指圧具に関する。
【背景技術】
【０００２】
自転車、バイク等の二輪車のハンドルには、滑り止め、握り心地の改善などの目的でゴム製や合成樹脂製のグリップが装着されているが、より積極的に健康増進を図ることまではできなかった。
【先行技術文献】
【特許文献】
【０００３】
【特許文献１】実開平７−１９０８５号公報
【考案の概要】
【考案が解決しようとする課題】
【０００４】
本考案は上記した従来技術の問題に鑑みなされたもので、自転車、バイク等の乗り物に乗りながら手の指圧を行える指圧具を提供することを、その目的とする。
【課題を解決するための手段】
【０００５】
本考案の請求項１記載の指圧具では、乗り物のハンドルグリップに対し後付けで、ハンドルグリップの外周を覆うようにして着脱自在に装着可能な被覆部材を備え、
被覆部材の表面に多数の指圧突起を形成したこと、
を特徴としている。
本考案の請求項２記載の指圧具では、被覆部材を伸縮性の有る筒状体とし、
ハンドルグリップの外周に対し着脱自在に嵌着可能としたこと、
を特徴としている。
本考案の請求項３記載の指圧具では、被覆部材を柔軟性の有る板状とするとともに、
ハンドルグリップの外周に被覆部材を巻き付けたときの重なり部分となる個所に止め部材を付設し、
ハンドルグリップの外周に対し着脱自在に巻着可能としたこと、
を特徴としている。
本考案の請求項４記載の指圧具では、被覆部材を柔軟性を有し、軸方向にスリットの入った筒状とするとともに、
被覆部材の向かい合う端面間を繋ぐようにして伸縮性のバンドを装着し、
ハンドルグリップの外周に対し着脱自在に嵌着可能としたこと、
を特徴としている。
【考案の効果】
【０００６】
本考案によれば、既存の自転車、バイク等の乗り物のハンドルグリップに対して、後付けで多数の指圧突起を有する被覆部材を装着し、ハンドルを握って走行している間に自然に手のひらに指圧が施されるようにしたので、治療院等で指圧の施術を受けなくても手軽に健康増進を図ることができる。
【図面の簡単な説明】
【０００７】
【図１】本考案の第１実施例に係る指圧具の外観斜視図である（実施例１）。
【図２】図１の指圧具の使用方法の説明図である。
【図３】本考案の第２実施例に係る指圧具の構成図であり、図３（１）は平面図、図３（２）は底面図、図３（３）は側面図である（実施例２）。
【図４】図３の指圧具の使用方法の説明図である。
【図５】本考案の第３実施例に係る指圧具の構成図であり、図５（１）は側面図、図５（２）は底面図である（実施例３）。
【図６】図５の指圧具の使用方法の説明図である。
【考案を実施するための最良の形態】
【０００８】
以下、本考案の最良の形態を実施例に基づき説明する。
【実施例１】
【０００９】
図１を参照して本考案の第１実施例を説明する。図１は本考案に係る指圧具の外観斜視図である。
図１において、１は指圧具であり、自転車、バイク等の二輪車のハンドルの端部に固着されたハンドルグリップ（図２の符号２１参照）に後付けで着脱自在に嵌着可能になっている。指圧具１は、弾性を有するゴム、塩化ビニール樹脂、シリコン樹脂等のプラスチックなどから成る円筒状の被覆部材２を有しており、両端面に差し込み口３が形成されている。被覆部材２の全周に多数の指圧突起４が凸設されている。被覆部材２の長さはハンドルグリップ２１より少しだけ短く、内径はハンドルグリップ２１と同じか少しだけ小さく形成されている。
【００１０】
図２に指圧具１の使用方法を示す。
自転車、バイク等のハンドル２０の端部に設けられたハンドルグリップ２１に指圧具１を装着したい場合、指圧具１の差し込み口３を広げながらハンドグリップ２１の端から指圧具１を差し通して行き（図２（１）参照）、ハンドグリップ２１の外周に嵌着する（図２（２）参照）。
この状態で利用者が指圧具１の上からハンドルグリップ２１を握り、走行すると、多数の指圧突起４が手のひらのつぼに当たって指圧するので、治療院で指圧の施術を受けるなど特別なことをしなくても、知らない内に健康増進を図ることができる。
指圧具１を外したいときは、装着したときと反対に、差し込み口３を広げながらハンドグリップ２１の端から指圧具１を外側へ引き出せば良い。
【実施例２】
【００１１】
図３を参照して本考案の第２実施例を説明する。図３は本考案に係る指圧具の構成図であり、図３（１）は平面図、図３（２）は底面図、図３（３）は側面図である。
これらの図において、１Ａは指圧具であり、自転車、バイク等の二輪車のハンドルの端部に固着されたハンドルグリップ（図４の符号２１参照）に後付けで着脱自在に巻着可能になっている。指圧具１Ａは、弾性を有するゴム、塩化ビニール樹脂、シリコン樹脂等のプラスチックなどから成る方形シート状の被覆部材２Ａを有しており、表面側の一端縁に沿って止め部材としてのオス側面ファスナー５、裏面側の反対側の一端縁に止め部材としてのメス側面ファスナー６が貼着されている。被覆部材２Ａの表面の内、オス側面ファスナー６を除く部分に多数の指圧突起４が凸設されている。被覆部材２Ａはハンドルグリップ２１に対し１周と少し余分に巻き付け可能な大きさに形成されており、ハンドルグリップ２１に巻き付けたとき、オス側面ファスナー５の側の端縁とメス側面ファスナー６の側の端縁が重なり合うようになっている。
【００１２】
図４に指圧具１Ａの使用方法を示す。
自転車、バイク等のハンドル２０の端部に設けられたハンドルグリップ２１に指圧具１Ａを装着したい場合、指圧突起４が外側になるようにして指圧具１Ａをハンドルグリップ２１の外周に巻き（図４（１）参照）、オス側面ファスナー５とメス側面ファスナー６を重ね合わせて係着することにより、ハンドルグリップ２１の外周に巻着する（図４（２）参照）。
この状態で利用者が指圧具１Ａの上からハンドルグリップ２１を握り、走行すると、多数の指圧突起４が手のひらのつぼに当たって指圧するので、治療院で指圧の施術を受けるなど特別なことをしなくても、知らない内に健康増進を図ることができる。
指圧具１Ａを外したいときは、装着したときと反対に、オス側面ファスナー５とメス側面ファスナー６の係着を外すことで簡単にハンドルグリップ２１から外すことができる。
【実施例３】
【００１３】
図５を参照して本考案の第３実施例を説明する。図５は本考案に係る指圧具の構成図であり、図５（１）は側面図、図５（２）は底面図である。
これらの図において、１Ｂは指圧具であり、自転車、バイク等の二輪車のハンドルの端部に固着されたハンドルグリップ（図６の符号２１参照）に後付けで着脱自在に嵌着可能になっている。指圧具１Ｂは、弾性を有するゴム、塩化ビニール樹脂、シリコン樹脂等のプラスチックなどから成り、軸方向にスリット７の入った筒状の被覆部材２Ｂを有しており、軸方向両端部に、対向する端面８、９の間を繋ぐようにして、伸縮性の有るバンド１０、１１が被覆部材２Ｂの内面に貼着されている。被覆部材２Ｂの表面には多数の指圧突起４が凸設されている。指圧具１Ｂのなす内径はハンドルグリップ２１の外径より小さく形成されている。
【００１４】
図６に指圧具１Ｂの使用方法を示す。
自転車、バイク等のハンドル２０の端部に設けられたハンドルグリップ２１に指圧具１Ｂを装着したい場合、端面８、９の間を手で開きバンド１０、１１を伸ばして指圧具１Ｂの内径を広げ、ハンドルグリップ２１を指圧具１Ｂの内部に差し込み、手を離してハンドルグリップ２１の外周に嵌着する（（図６（１）、（２）参照）。
この状態で利用者が指圧具１Ｂの上からハンドルグリップ２１を握り、走行すると、多数の指圧突起４が手のひらのつぼに当たって指圧するので、治療院で指圧の施術を受けるなど特別なことをしなくても、知らない内に健康増進を図ることができる。
指圧具１Ｂを外したいときは、端面８、９の間を手で開きバンド１０、１１を伸ばして指圧具１Ｂの内径を広げて、ハンドルグリップ２１から指圧具１Ｂを抜くことにより、簡単に外すことができる。
【００１５】
なお、上記した各実施例では被覆部材の外周のほぼ全面に指圧突起を設けたが、ハンドルグリップを握ったときに手と接触する部分だけに設けるようにしても良い。また、エリア毎に指圧突起の大きさ、分布密度を変えても良い。
また、各実施例において、被覆部材の裏面に粗面加工を施し、指圧具を握って走行中に、指圧具の位置ズレが起き難くなるようにしても良い。
【産業上の利用可能性】
【００１６】
本考案は、ハンドルグリップを有する自転車、バイク等の乗り物に適用可能である。
【符号の説明】
【００１７】
１、１Ａ、１Ｂ  指圧具
２、２Ａ、２Ｂ  被覆部材
４  指圧突起
５  オス側面ファスナー
６  メス側面ファスナー
１０、１１  バンド
【図１】
0003191206.tif 000003
【図２】
0003191206.tif 000004
【図３】
0003191206.tif 000005
【図４】
0003191206.tif 000006
【図５】
0003191206.tif 000007
【図６】
0003191206.tif 000008